(57)【要約】【課題】  従来のコーナー用ガジェットにあっては、棚板支持部に折曲して取付けられ起立固定部どうしは連結されていないため、起立固定部を梁にネジ止め固定した場合に、梁の耐曲げ強度はベンド部の引っ張り強度のみとなるため、起立固定部に対して曲げ方向と垂直な方向に対する力が作用した場合に垂直方向に変位する可能性があり強度的に問題が発生した。【解決手段】  棚板がネジ止めされる三角形状の棚板支持部２１における直角辺のそれぞれ起立固定部２２，２３を形成し、前記棚板支持部に対して前記起立固定部を垂直方向に折曲し、前記１つの起立固定部２３の短辺側から他の起立固定部２２と重なる折返し固定部２４を延長し、該折返し固定部によって起立固定部のコーナー部の隙間を覆うようにしたコーナー用ガジェットである。【選択図】        図１
2013079661.tif 000002
【特許請求の範囲】
【請求項１】
棚板がネジ止めされる三角形状の棚板支持部における直角辺のそれぞれ起立固定部を形成し、前記棚板支持部に対して起立固定部を垂直方向に折曲し、前記１つの起立固定部の短辺側から他の起立固定部と重なる折返し固定部を延長し、該折返し固定部によって起立固定部のコーナー部の隙間を覆うようにしたことを特徴とするコーナー用ガジェット。
【請求項２】
前記１つの起立固定部の短辺側と長辺側から折返し固定部を形成し、該折返し固定部を折曲してそれぞれの起立固定部と重なり合うようにすると共に起立固定部のコーナー部の隙間を覆うようにしたことを特徴とする請求項１記載のコーナー用ガジェット。
【請求項３】
前記起立固定部の一辺から延長された折返し固定部を連続して２つ形成し、該２つの折返し固定部によって前記２つの起立固定部と重なるようにすると共に起立固定部のコーナー部の隙間を覆うようにしたことを特徴とする請求項１記載のコーナー用ガジェット。
【請求項４】
前記起立固定部の長辺側に形成された折返し固定部に連接して前記棚板支持部と重なる重ね棚板支持部を形成し、２辺の起立固定部と棚板支持部とを２重構造としたことを特徴とする請求項２記載のコーナー用ガジェット。
【請求項５】
前記連続した折返し固定部が形成されていない起立固定部に連接して前記棚板支持部と重なる重ね棚板支持部を形成し、２辺の起立固定部と棚板支持部とを２重構造としたことを特徴とする請求項３記載のコーナー用ガジェット。
【請求項６】
前記折返し固定部および重ね棚板支持部に、前記起立固定部や棚板支持部に形成されているネジ挿入孔に嵌まり込む突き出しが形成されたネジ挿入孔を形成し、それぞれの重なり状態において突き出しをネジ挿入孔に嵌め込んだことを特徴とする請求項１乃至請求項５の何れかに記載のコーナー用ガジェット。
【発明の詳細な説明】
【技術分野】
【０００１】
本発明は、金属製の棚や建築物の梁に棚板や固定物を固定するためのコーナー用ガジェットに関する。
【背景技術】
【０００２】
従来におけるコーナー用ガジェットとしては、例えば、先行技術文献である実開昭５９−２００１４号公報に開示されている考案がある。この考案におけるコーナー固定金具は、略三角形状の水平鍔部の２辺から垂直板を垂直方向に折曲し、該垂直板に支柱にネジ止めするためのボルト貫通孔と、物品載置面（以下、棚板という）をネジ止めするためのボルト貫通孔を形成したものであった。
【０００３】
そして、支柱への取付け方法としては、棚板に形成された折曲側面の外側をコーナー固定金具の垂直板の裏面で、かつ、水平鍔部の下面に位置するように配置し、支柱に形成されているボルト受け入れ孔に垂直板のボルト貫通孔側よりボルトを挿通して支柱の裏面側よりナットを螺合して固定し、また、棚板のボルト受け入れ孔に垂直板のボルト貫通孔側よりボルトを挿通して支柱の裏面側よりナットを螺合して固定したものであった。
【０００４】
このような構成の先行技術文献にあっては、棚板に物品が載置されると、該物品の重量は支柱にネジ止め固定された垂直板と棚板とをネジ止めしたボルトに対して荷重が加わることとなる。そして、例えば、棚板に載置された重量の重い物品が偏った位置、すなわち、重量が垂直板と棚板とをネジ止めしたボルトに均一に加わらず一方のボルトのみに加わると、該荷重が加わったボルト側の垂直板が変形する可能性が生じる。
【０００５】
また、先行技術文献のコーナー固定金具にあっては、支柱に固定するものであることから、コーナー固定部材を介して棚板を取付け、かつ、重量の重い物品を載置した場合は、支柱に対して大きな荷重が加わり変形する可能性が生じるといった問題もあった。
【０００６】
そして、近年において金属製の棚における梁に棚板を取付けるコーナー用ガジェットとしては、例えば、図４に示す構造のコーナー用ガジェット１が販売されている。その構造は、棚板や固定物（図示せず）を固定する棚板支持部１１と、該棚板支持部１１の直角辺から折り返し線を介して連接された起立固定部１２とより構成されたものである。なお、１１ａは棚板支持部１１に開口された棚板をボルト・ナットで固定するためのネジ挿通孔であり、また、１２ａは起立固定部１２に開口され、該起立固定部１２を梁にボルト・ナットで固定すくためのネジ挿通孔である。
【先行技術文献】
【特許文献】
【０００７】
【特許文献１】実開昭５９−２００１４号公報
【発明の概要】
【発明が解決しようとする課題】
【０００８】
ところで、前記した既に販売されているコーナー用ガジェットにあっては、棚板は棚板支持部１１にボルト・ナットによって固定されているので、棚板に載置された重量の重い物品が偏った位置に載置されても棚板支持部１１には均等な荷重が加わるので、２つの起立固定部１２を梁に固定するボルトには均等に加わるために前記した先行技術文献のような一方の起立固定部１２のみが変形することはない。
【０００９】
しかし、２つの起立固定部１２は先行技術文献と同様に棚板支持部１１に折曲して取付けられ起立固定部１２どうしは連結されていないため、起立固定部１２を梁にネジ止め固定した場合に、梁の耐曲げ強度はベンド部の引っ張り強度のみとなるため、起立固定部１２に対して曲げ方向と垂直な方向に対する力が作用した場合に垂直方向に変位する可能性があり強度的に問題が発生した。
【００１０】
本発明は前記した問題点を解決せんとするもので、その目的とするところは、コーナー用ガジェットを梁に対して固定することで棚板に重量の重い物品を載置しても支柱に対して均等な荷重が加わることとなり、また、２つの起立固定部どうし連結する構造としたことで、ベンド部の引っ張り強度にコーナー部の引っ張り強度が加算されるので、起立固定部に対して曲げ方向と垂直な方向に対する力が作用しても強固な保持力によって変形するのを防止できるコーナー用ガジェットを提供せんとするにある。
【課題を解決するための手段】
【００１１】
本発明のコーナー用ガジェットは前記した目的を達成せんとするもので、請求項１の手段は、棚板がネジ止めされる三角形状の棚板支持部における直角辺のそれぞれ起立固定部を形成し、前記棚板支持部に対して起立固定部を垂直方向に折曲し、前記１つの起立固定部の短辺側から他の起立固定部と重なる折返し固定部を延長し、該折返し固定部によって起立固定部のコーナー部の隙間を覆うようにしたことを特徴とする。
【００１２】
請求項２の手段は、前記した請求項１において、前記１つの起立固定部の短辺側と長辺側から折返し固定部を形成し、該折返し固定部を折曲してそれぞれの起立固定部と重なり合うようにすると共に起立固定部のコーナー部の隙間を覆うようにしたことを特徴とする。
【００１３】
請求項３の手段は、前記した請求項１において、前記起立固定部の一辺から延長された折返し固定部を連続して２つ形成し、該２つの折返し固定部によって前記２つの起立固定部と重なるようにすると共に起立固定部のコーナー部の隙間を覆うようにしたことを特徴とする。
【００１４】
請求項４の手段は、前記した請求項２において、前記起立固定部の長辺側に形成された折返し固定部に連接して前記棚板支持部と重なる重ね棚板支持部を形成し、２辺の起立固定部と棚板支持部とを２重構造としたことを特徴とする。
【００１５】
請求項５の手段は、前記した請求項３において、前記連続した折返し固定部が形成されていない起立固定部に連接して前記棚板支持部と重なる重ね棚板支持部を形成し、２辺の起立固定部と棚板支持部とを２重構造としたことを特徴とする。
【００１６】
請求項６の手段は、前記した請求項１乃至請求項５の何れかにおいて、前記折返し固定部および重ね棚板支持部に、前記起立固定部や棚板支持部に形成されているネジ挿入孔に嵌まり込む突き出しが形成されたネジ挿入孔を形成し、それぞれの重なり状態において突き出しをネジ挿入孔に嵌め込んだことを特徴とする。
【発明の効果】
【００１７】
本発明は前記したように１つの起立固定部から延長された折返し固定部を折曲して他の起立固定部に重ねることで２重構造にすると共に起立固定部のコーナー部の隙間を覆うようにしたので、ベンド部の引っ張り強度にコーナー部の引っ張り強度が加算されるので、起立固定部の棚板支持部との折曲部の折り曲げ方向の外力に対して強固な保持力を有して変形するのを防止できる。
【００１８】
また、組み立て状態において棚板支持部を２重構造とすることで、棚板支持部に固定された棚板に重量の重い物品の荷重が加わっても、棚板支持部と起立固定部の２重構造によって変形するのを防止することができる。
【００１９】
さらに、２重構造の起立固定部および棚板支持部が突き出しとネジ孔挿入孔と嵌合によって折返し固定部と重ね棚板支持部が一体化されるので、外力に強く変形し難いガジェットとなる等の効果を有するものである。
【図面の簡単な説明】
【００２０】
【図１】本発明のコーナー用ガジェットの第１の実施例を示し、（ａ）は展開平面図、（ｂ）は組立途中の斜視図、（ｃ）は完成品の斜視図である。
【図２】第２の実施例を示し、（ａ）は展開平面図、（ｂ）は組立途中の斜視図、（ｃ）は完成品の斜視図である。
【図３】第３の実施例を示し、（ａ）は展開平面図、（ｂ）は組立途中の斜視図、（ｃ）は完成品の斜視図である。
【図４】従来のコーナー用ガジェットを示し、（ａ）展開平面図、（ｂ）は完成品の斜視図である。
【発明を実施するための形態】
【００２１】
以下、本発明の第１の実施例を図１と共に説明する。
第１の実施例のコーナー用ガジェットは、（ａ）の展開図で示すように二等辺直角三角形状の棚板支持部２１と、該棚板支持部２１の直角辺から折り返し線を介して連接された２つの起立固定部２２，２３と、該起立固定部２２，２３の何れか１つの起立固定部、例えば起立固定部２３における他の起立固定部２２と対向する端辺から折り返し線を介して延長された折返し固定部２４とから形成されている。
【００２２】
また、棚板支持部２１の中央部と、２つの起立固定部２２，２３の長手方向の２箇所にはネジ挿通孔２２ａ，２３ａが、さらに、折返し固定部２４の長手方向の２箇所には起立固定部２２のネジ挿通孔２２ａ内に入り込むダボ状の突き出し２４ｂを有するネジ挿通孔２４ａが形成されている。そして、これらの形状を有するコーナー用ガジェット２は、１枚の比較的厚みの薄い金属板をプレス加工によって製作することが可能である。
【００２３】
このように形成した板状のコーナー用ガジェット２を組み立てるには、（ｂ）に示すように起立固定部材２２，２３を棚板支持部２１より同じ方向に折曲する。次に、折返し固定部２４を起立固定部２２側に折曲しながら、突き出し２４ｂを起立固定部２２のネジ挿通孔２２ａ内に嵌め込むことで、外力に強い変形し難い構造となる。
【００２４】
前記した構造のコーナー用ガジェット２の起立固定部２２（折返し固定部２４で二重構造となっている），２３を、図示しない棚における梁のコーナー部にボルト・ナットで固定することで、ベンド部の引っ張り強度に起立固定部２２，２３のコーナー部の引っ張り強度Ａが加算されるので、各起立固定部２２，２３のＢ方向に力が作用しても折返し固定部２４によって強固な保持力が得られる。
【００２５】
また、棚板支持部に取付けた棚板に重量の重い物品が載置され棚板支持部に大きな荷重力が加わった場合、図４で示した従来における構造の曲げ部のみの抗張力によって形状を保持しようとするが、荷重が大きくなると曲げ部が座屈する。しかし、本発明の構造にあっては、コーナー部を折返し固定部２４によって覆うと共に、該折返し固定部２４の突き出し２４ｂが起立固定部２２のネジ挿通孔２２ａ内に入り込むことから、座屈強度は従来品と比較して飛躍的にアップすることとなる。
【００２６】
次に、第２の実施例を図２と共に説明する。なお、前記した第１の実施例と同一符号は同一部分を示している。
この実施例にあっては、棚板支持部２１から折り返し線を介して起立固定部２２，２３を連接し、また、起立固定部２３の長辺部から折り返し線を介して第１の折返し固定部２７を連接か、かつ、起立固定部２３の短辺部から折り返し線を介して第２の折返し固定部２４を連接し、また、前記折返し固定部２７から折り返し線を介して重ね棚板支持部２５を連接したものである。
【００２７】
前記棚板支持部２１および起立固定部２３，２４にはネジ挿通孔２１ａ，２３ａ，２４ａが開口され、一方、重ね棚板支持部２５および折返し固定部２４，２７には突き出し２５ｂ，２４ｂ，２７ｂを有するネジ挿通孔２５ａ，２４ａ，２７ａが形成されている。
【００２８】
このように形成した板状のコーナー用ガジェット２を組み立てるには、棚板支持部２１より延長されている起立固定部２３，２２を折曲し、起立固定部２３から延長されている折返し固定部２４を起立固定部２２の表面側に重なるように折曲し、次いで、起立固定部２３より延長されている折返し固定部２７を起立固定部２３の前面側に重なるように折曲すると共に、折返し固定部２７より延長されている重ね棚板支持部２５を棚板支持部２１の上面部と重なるように折曲する。
【００２９】
そして、前記折返し固定部２４，２７のネジ挿入孔２４ａ，２７ａに形成されている突き出し２４ｂ，２７ｂを起立固定部２２，２３のネジ挿通孔２２ａ，２３ａに嵌め込むことで、起立固定部２２，２３は２重構造となって梁に固定した時の強度が高くなる。
【００３０】
また、重ね棚板支持部２５に形成されているネジ挿入孔２５ａに形成されている突き出し２５ｂを棚板支持部２１のネジ挿入孔２１ａに嵌め込むことで棚板支持部は２重構造となるので、棚板を棚板支持部に固定した状態において重量の重い物品が載置されても変形することがなく、かつ、起立固定部も２重構造となっているので、前記した第１の実施例と比較してより座屈強度は飛躍的にアップすることとなる。
【００３１】
次に、第３の実施例を図３と共に説明する。なお、前記した第１の実施例と同一符号は同一部分を示している。
この実施例にあっては、起立固定部２２から折り返し線を介して棚板支持部２５を連接し、また、起立固定部２３から折り返し線を介して第２の折返し固定部２６を連接すると共に、該折返し固定部２６から折り返し線を介して折返し固定部２４を連接したものである。
【００３２】
また、棚板支持部２５および起立固定部２２，２３にはネジ挿通孔２５ａ，２２ａ，２３ａが開口され、一方、重ね棚板支持部２１および折返し固定部２４，２６には突き出し２１ｂ，２４ｂ，２６ｂを有するネジ挿通孔２１ａ，２４ａ，２６ａが形成されている。
【００３３】
このように形成した板状のコーナー用ガジェット２を組み立てるには、起立固定部２２より延長されている棚板支持部２５を折曲し、次いで、起立固定部２３より延長されている重ね棚板支持部２１を前記棚板支持部２２に重なるように折曲し、かつ、重ね棚板支持部２１に形成されている突き出し２１ｂを棚板支持部２５のネジ挿通孔２５ａに嵌め込むことで、棚板支持部とし２重構造となるので棚板を固定した時の強度が高くなる。
【００３４】
次いで、起立固定部２３に連接されている折返し固定部２６を外側に折曲して起立固定部２３に重ね、さらに、折返し固定部２６に連結されている折返し固定部２４を折曲して起立固定部２２に重ねる。そして、重ねた状態において折返し固定部２６の突き出し２６ｂを起立固定部２３のネジ挿通孔２３ａに嵌め込み、また、折返し固定部２４の突き出し２４ｂを起立固定部２２のネジ挿通孔２２ａに嵌め込み組立は終了する。
【００３５】
棚板支持部と起立固定部はそれぞれ２重構造となり、かつ、起立固定部のコーナー部も２重構造となるので、前記した第１、第２の実施例に対して、より屈曲強度が高くなると共に組み立て後の変形も防止することができる。
【００３６】
なお、第３の実施例では棚板支持部を２重構造としたが、必ずしも棚板支持部を２重構造とする必要はなく、起立固定部のコーナー部が２重構造となっていることで、十分な強度を得ることができる。
【００３７】
なお、前記した全ての実施例においてコーナー用ガジェットは、金属板をプレス機によって打ち抜いて各実施例の展開図の板材を製作して折り曲げ加工によってコーナー用ガジェットの製品を製造するが、使用する金属板がステンレススチールのような錆が発生しない材料の場合は防錆処理をする必要はないが、鉄のような金属板の場合に防錆処理をする必要があるので、プレス加工によって打ち抜いた状態で電機メッキ加工によって防錆処理を行うことが望ましい。
【符号の説明】
【００３８】
２                        ガジェット
２１                      棚板支持部
２２，２３                組立固定部
２４，２６，２７          折返し固定部
２１ａ，２２ａ，２３ａ    ネジ挿入孔
２４ａ，２６ａ，２７ａ    ネジ挿入孔
２４ｂ，２６ｂ，２７ｂ    突き出し
２５                      重ね棚板支持部
２５ａ                    ネジ挿入孔
２５ｂ                    突き出し
【図１】
2013079661.tif 000003
【図２】
2013079661.tif 000004
【図３】
2013079661.tif 000005
【図４】
2013079661.tif 000006
【手続補正書】
【提出日】平成24年5月30日(2012.5.30)
【手続補正１】
【補正対象書類名】特許請求の範囲
【補正対象項目名】請求項１
【補正方法】変更
【補正の内容】
【請求項１】
棚板がネジ止めされる三角形状の棚板支持部における直角辺のそれぞれにネジ挿通孔を穿設した起立固定部を形成し、前記１つの起立固定部の短辺側から他の起立固定部と重なる折返し固定部を延長すると共に前記起立固定部のネジ挿通孔に嵌合されるダボ状の突き出しを有するネジ挿通孔を形成し、前記棚板支持部に対して前記起立固定部を垂直方向に折曲し、かつ、前記１つの起立固定部に対して折返し固定部を水平方向に折曲して他の起立固定部のネジ挿通孔に前記突き出しを嵌合したことを特徴とするコーナー用ガジェット。
【手続補正２】
【補正対象書類名】特許請求の範囲
【補正対象項目名】請求項６
【補正方法】変更
【補正の内容】
【請求項６】
前記折返し固定部および重ね棚板支持部に、前記起立固定部や前記棚板支持部に形成されているネジ挿通孔に嵌合するダボ状の突き出しが形成されたネジ挿通孔を形成し、それぞれの重なり状態において前記突き出しを前記起立固定部や前記棚板支持部に形成されている前記ネジ挿通孔に嵌合したことを特徴とする請求項２乃至請求項５の何れかに記載のコーナー用ガジェット。
【手続補正３】
【補正対象書類名】明細書
【補正対象項目名】００１１
【補正方法】変更
【補正の内容】
【００１１】
本発明のコーナー用ガジェットは前記した目的を達成せんとするもので、請求項１の手段は、棚板がネジ止めされる三角形状の棚板支持部における直角辺のそれぞれにネジ挿通孔を穿設した起立固定部を形成し、前記１つの起立固定部の短辺側から他の起立固定部と重なる折返し固定部を延長すると共に前記起立固定部のネジ挿通孔に嵌合されるダボ状の突き出しを有するネジ挿通孔を形成し、前記棚板支持部に対して前記起立固定部を垂直方向に折曲し、かつ、前記１つの起立固定部に対して折返し固定部を水平方向に折曲して他の起立固定部のネジ挿通孔に前記突き出しを嵌合したことを特徴とする。
【手続補正４】
【補正対象書類名】明細書
【補正対象項目名】００１６
【補正方法】変更
【補正の内容】
【００１６】
請求項６の手段は、前記した請求項２乃至請求項５の何れかにおいて、前記折返し固定部および重ね棚板支持部に、前記起立固定部や前記棚板支持部に形成されているネジ挿通孔に嵌合するダボ状の突き出しが形成されたネジ挿通孔を形成し、それぞれの重なり状態において前記突き出しを前記起立固定部や前記棚板支持部に形成されている前記ネジ挿通孔に嵌合したことを特徴とする。
【手続補正５】
【補正対象書類名】明細書
【補正対象項目名】００３８
【補正方法】変更
【補正の内容】
【００３８】
２                      ガジェット
２１                    棚板支持部
２２，２３              起立固定部
２４，２６，２７        折返し固定部
２１ａ，２２ａ，２３ａ  ネジ挿通孔
２４ａ，２６ａ，２７ａ  ネジ挿通孔
２４ｂ，２６ｂ，２７ｂ  突き出し
２５                    重ね棚板支持部
２５ａ                  ネジ挿通孔
２５ｂ                  突き出し